(57)【要約】【課題】設置面上に置いた状態で使用する際の音質の向上を図ることが可能な装着型電子機器を提供することにある。【解決手段】表面にディスプレイ１１を有した機器本体２の両端部に夫々ヒンジ１２、１３を介して装着アーム３，４を接続する。両装着アームを硬質材料で形成し少なくとも裏面を湾曲させて、これら装着アーム３，４の自由端部３ａ、４ａと両ヒンジ１  ２、１３を設置面Ｂに接触可能とする。これにより、通信機器１を設置面に置いた状態で、両装着アームの裏面３ｂ、４ｂと設置面とが離れるようにしている。装着アーム３の裏面３ｂに開口する集音口５ａを有したマイクロホン（第１音響要素）５を、設置面Ｂを音響反射面とするように装着アーム３に取付ける。装着アーム４の裏面４ｂに開口する放音口６ａを有したスピーカ（第２音響要素）６を、設置面Ｂを音響反射面とするように装着アーム４に取付ける。【選択図】    図４
2004289522.tif 000002
【特許請求の範囲】
【請求項１】
表側より視認可能なディスプレイを有した機器本体と、
表裏両面の内の少なくとも裏面が表面側に凸となるように湾曲されていて、前記機器本体の一端部に第１のヒンジを介して装着位置と前記機器本体に並べられる解放位置とにわたって回動可能に接続され、前記機器本体又は前記第１ヒンジと共に設置面に接触可能な自由端部を有した硬質な一方の装着アームと、
表裏両面の内の少なくとも裏面が表面側に凸となるように湾曲されていて、前記機器本体の他端部に第２のヒンジを介して装着位置と前記機器本体に並べられる解放位置とにわたって回動可能に接続され、前記機器本体又は前記第２ヒンジと共に設置面に接触可能な自由端部を有した硬質な他方の装着アームと、
集音口を有して前記一方の装着アームに取付けられ、前記両装着アームを前記設置面に設置させた状態で、この設置面を音響反射面とするように前記集音口が前記設置面に離間対向する第１の音響要素と、
放音口を有して前記他方の装着アームに取付けられ、前記両装着アームを前記設置面に設置させた状態で、この設置面を音響反射面とするように前記放音口が前記設置面に離間対向する第２の音響要素と、
を具備した装着型電子機器。
【請求項２】
請求項１に記載の装着型電子機器において、前記設置面への設置状態でこの設置面に前記集音口が斜めに対向するように前記一方の装着アームの自由端部に第１音響要素が取付けられていると共に、前記設置面への設置状態でこの設置面に前記放音口が斜めに対向するように前記他方の装着アームの自由端部に前記第２音響要素が取付けられている。
【請求項３】
表側より視認可能なディスプレイを有した機器本体と、
表裏両面の内の少なくとも裏面が表面側に凸となるように湾曲されていて、前記機器本体の一端部に第１のヒンジを介して装着位置と前記機器本体に並べられる解放位置とにわたって回動可能に接続され、自由端部を有した硬質な一方の装着アームと、
表裏両面の内の少なくとも裏面が表面側に凸となるように湾曲されていて、前記機器本体の他端部に第２のヒンジを介して装着位置と前記機器本体に並べられる解放位置とにわたって回動可能に接続され、自由端部を有した硬質な他方の装着アームと、
集音口を有して前記一方の装着アームに取付けられた第１の音響要素と、
放音口を有して前記他方の装着アームに取付けられた第２の音響要素と、
を具備した装着型電子機器において、
この装着型電子機器を設置面に設置状態とした時に、この設置面に前記集音口が斜めに対向するように前記一方の装着アームの自由端部に前記第１音響要素が取付けられていると共に、前記設置面への設置状態でこの設置面に前記放音口が斜めに対向するように前記他方の装着アームの自由端部に前記第２音響要素が取付けられている装着型電子機器。
【請求項４】
請求項から３の内のいずれか１項に記載の装着型電子機器において、前記両装着アームが、その解放位置で、前記集音口又は放音口の前記設置面に対する対向姿勢を調節できるとともにこの調節状態を仮保持できるように所定角度回動可能に設けられている。
【請求項５】
請求項１から４の内のいずれか１項に記載の装着型電子機器において、前記第２音響要素が、スピーカとレシーバとを兼ねている。
【発明の詳細な説明】
【０００１】
【発明の属する技術分野】
本発明は、例えば人体の腕に装着可能な通信機器などの装着型電子機器に関する。
【０００２】
【従来の技術】
従来、本体の両側に夫々取付けられたバンドの一方にスピーカを取付け、他方のバンドにマイクロホンを取付けた腕装着型通信機器が知られている。この通信機器のバンドは人体の腕に沿う形状に湾曲されている。スピーカ及びマイクロホンは、音伝導口、具体的には、音を放出するための放音口又は音を拾うための集音口を有している。これらスピーカ及びマイクロホンは斜めの姿勢でバンドに取付けられ、湾曲したバンドの裏面から突出するクッションに音伝導口を設けている（例えば特許文献１参照。）。
【０００３】
【特許文献１】
特開２００２−１９９０７２号公報（段落００１５、００１６、００２１、図１−図２）
【０００４】
【発明が解決しようとする課題】
特許文献１には、バンドを本体と並べた状態で、スピーカ及びマイクロホンを使用者の顔に対面させて音声を送受信することは記載されているが、通信機器を机上面などの設置面に置いた状態での送受信については言及がない。特許文献１には、通信機器が机上面等に置かれた状態で、スピーカ及びマイクロホンの音伝導口がどのようになるのかについても言及がない。更に、特許文献１には、そこに記載の通信機器が机上面に置かれた場合に、バンドがどのような形態を保持できるのかということについても言及がない。
【０００５】
特許文献１に記載の通信機器がこの文献１の図１に実線で示される状態で机上面に置かれると仮定した場合、バンドの裏面から突出しているスピーカの放音口が机上面（設置面）に対して至近距離で対向してしまい、或いはクッションのたわみ変形を伴ってスピーカの放音口が机上面で塞がれてしまう。又、特許文献１に記載の通信機器がこの文献１の図２に実線で示される状態で机上面（設置面）に置かれると仮定した場合、バンドの裏面から突出しているスピーカの放音口は設置面で塞がれてしまう。
【０００６】
いずれにしても、通信機器を机上面などの設置面に置いた状態では、設置面がスピーカの放音を邪魔し易いので、音質が低下し易い。同様にマイクの集音についても、この集音を設置面が邪魔し易いので、マイクでの集音性が良くなく、音質が低下し易い。
【０００７】
本発明が解決しようとする課題は、設置面上に置いた状態で使用する際の音質向上を図ることが可能な装着型電子機器を提供することにある。
【０００８】
【課題を解決するための手段】
前記課題を解決するために、本発明は、少なくとも裏面が湾曲された硬質な装着アームを、表側より視認可能なディスプレイを有した機器本体の両端部に夫々ヒンジを介して接続するとともに、これら装着アームの自由端部と前記機器本体又は両ヒンジを設置面に接触可能として、机上面等の設置面に置いた状態で、両装着アームの裏面と設置面との間にこの設置面を音響反射面とするための空間が形成されるようにしている。更に、第１音響要素をその放音口を設置面と離間対向させて第１音響要素を一方の装着アームに取付けると共に、第２音響要素の集音口を設置面に離間対向させて第２音響要素を他方の装着アームに取付けている。
【０００９】
本発明では、装着アームの表面は裏面と同様に湾曲されていても、いなくてもよい。本発明で「湾曲」とは、正確に円弧の一部で作られる形状には制約されず、側面視略Ｊの字状又は屈曲部を有する側面視略くの字状等の形状を含んでおり、要すれば、人体の腕等の被装着部への装着を可能とする形状であればよい。本発明の装着型電子機器を机上面等へ置く場合には、機器本体の裏面と両装着アームの自由端部とを接触させることで行うことも可能であり、又、機器本体を設置面から離す代わりに第１、第２のヒンジと両装着アームの自由端部とを接触させることで行うことも可能である。前者の設置形態では、第１、第２のヒンジは設置面に接触しても、しなくてもよい。本発明の装着型電子機器は、生体例えば人体の腕又は脚その他の部位に着脱可能に取付けて使用することができる。更に、本発明の装着型電子機器は、通信をする用途に好適に使用できるが、その他の機能を有していてもよく、更には、通信用途に制約されるものでもない。
【００１０】
本発明の装着型電子機器は、機器本体の裏面又は第１、第２のヒンジと両装着アームの自由端部とを夫々机上面等の設置面に接触させて、機器本体のディスプレイを視認可能な状態にして机上面等に置くことができる。こうして設置面に置かれた装着型電子機器を用いて、そのディスプレイを視認しつつ音声やデータ等の情報を送受信することができる。
【００１１】
設置面上での送受信では、第１音響機器の集音口は周囲の音を拾い、第２音響機器の放音口から周囲に音が放たれる。このため、装着型電子機器をスピーカホンとして使用可能である。この場合、第１、第２の音響機器が個別に取付けられている硬質でかつ裏面が湾曲状をなしている両装着アームによって、これらのアームと設置面との間に、設置面を音響反射面として利用するための空間が確保されるとともに、放音口及び集音口が設置面で塞がれないようにこれら放音口及び集音口はいずれも設置面に離間対向している。したがって、放音口から出る音を設置面で反射させて周囲に伝播させることが可能であるとともに、設置面で反射された周囲の音を集音口で拾うことが可能である。
【００１２】
本発明の好ましい形態では、前記設置面への設置状態でこの設置面に前記集音口が斜めに対向するように前記一方の装着アームの自由端部に第１音響要素が取付けられていると共に、前記設置面への設置状態でこの設置面に前記放音口が斜めに対向するように前記他方の装着アームの自由端部に前記第２音響要素が取付けられている。この形態では、第１、第２の音響要素相互間の距離が大きく、かつ、同相互間に機器本体が配置されているので、放音口から出た音が集音口で拾われることを抑制し易い。
【００１３】
前記課題を解決するために、本発明は、少なくとも裏面が湾曲されて自由端部を有した硬質な装着アームを、表側より視認可能なディスプレイを有した機器本体の両端部に夫々ヒンジを介して接続し、机上面等の設置面に置いた状態で、両装着アームの裏面と設置面との間にこの設置面を音響反射面とするための空間が形成されるようにしている。更に、第１音響要素をその放音口が設置面と斜めに対向するように第１音響要素を一方の装着アームの自由端部に取付けると共に、第２音響要素の集音口が設置面と斜めに対向するように第２音響要素を他方の装着アームの自由端部に取付けている。
【００１４】
この発明の装着型電子機器をスピーカホンとして使用可能する場合、硬質でかつ裏面が湾曲状をなしている両装着アームによって、これらのアームと設置面との間に、設置面を音響反射面として利用するための空間が確保されるとともに、放音口及び集音口が設置面で塞がれないようにこれら放音口及び集音口をいずれも設置面に斜めに対向させて、両装着アームの自由端部に第１、第２の音響機器が個別に取付けられている。したがって、放音口から出る音を設置面で反射させて周囲に伝播させることが可能であるとともに、設置面で反射された周囲の音を集音口で拾うことが可能である。しかも、第１、第２の音響要素相互間の距離が大きく、かつ、同相互間に機器本体が配置されているので、放音口から出た音が集音口で拾われることを抑制し易い。
【００１５】
本発明の好ましい形態では、前記両装着アームが、その解放位置で前記集音口又は放音口の前記設置面に対する対向姿勢を調節できるとともにこの調節状態を仮保持できるように所定角度回動可能に設けられている。この形態では、装着型電子機器を机上面等の設置面に置いた状態で、設置面に対する音響機器の位置を装着アームの回動調節によって変更できる。このため、音響機器を設置面の材料や表面状態等によって異なる設置面の音響反射特性に適合する位置に配置して、装着型電子機器を使用可能である。
【００１６】
本発明の好ましい形態では、前記第２音響要素が、スピーカとレシーバとを兼ねている。この形態では、第２音響要素が、音声を放出するスピーカと、着信音を放出するレシーバとを兼ねるため、これらを別々に設ける場合に比較して、部品数および設置スペースを減らすことが可能である。
【００１７】
【発明の実施の形態】
以下、図１〜図４を参照して本発明の第１実施形態を説明する。本実施形態は腕装着型電子機器例えば腕装着型通信機器に実施した例を示しており、この通信機器１は、一般的に人体の腕に取外し可能に装着して使用される。
【００１８】
図１及び図２等に示すように通信機器１は、機器本体２と、一対の装着アーム３、４と、第１音響要素５と、第２音響要素６とを備えている。
【００１９】
機器本体２は、硬質材料からなる本体ケース２ａを有している。このケース２ａには、音声及びデータ等の情報を送受信するとともに、この送受信等において必要な表示を制御するための必要な各種の電子部品、及びその電源例えば二次電池等が内蔵されている。更に、本体ケース２ａにはその表面から視認可能なＬＣＤ等のディスプレイ１１が内蔵されている。図３等に示すように機器本体２の裏面は、人体の腕Ａに対する装着性を良くするために表面側に凸となるように湾曲されている。
【００２０】
一対の装着アーム３、４の根元部は、機器本体２の両端部に第１ヒンジ１２又は第２ヒンジ１３を個別に介して回動可能に接続されている。これらの装着アーム３、４は、いずれも装着位置と解放位置とにわたって回動できる。装着アーム３、４が装着位置に配置された状態では、図３に示すように腕Ａをその両側から挟んで、通信機器１を腕Ａに装着保持できる。図１、図２、図４に示すように装着アーム３、４が解放位置に配置された状態では、これらアーム３、４は機器本体２の両側に並べた状態に保持される。なお、図３及び図４中符号２ｂは装着アーム３、４を解放位置に位置決めするために機器本体２に設けられたストッパ面を示している。両ヒンジ１２、１３はいずれも通信機器１を机上面等の設置面Ｂ（図４参照）に置く際に、この設置面Ｂに接するようになっている。
【００２１】
なお、両ヒンジ１２、１３には、図示しないが解放用のばねと、このばね力に抗して装着アーム３、４を装着位置に保持するためのロック機構が組込まれ、機器本体２には前記ロック機構の解除釦１４、１５が設けられている。解除釦１４、１５を押すことにより装着位置に配置されている装着アーム３、４が解放位置に前記ばねの力で回動されるようになっている。解放位置の装着アーム３、４は、これらを腕Ａに沿うように手で装着位置まで回動させた場合に、この装着位置に前記ロック機構により保持される。
【００２２】
両装着アーム３、４は、硬質材料製であるとともに、その表裏両面がいずれも表面側に凸となるように湾曲されて、腕Ａに具合良く沿う形状に作られている。腕Ａを内側に曲げた時に、この腕Ａに装着されている通信機器１の人体正面側に臨む方の装着アーム３には、その表面に突出する各種の操作釦を有した操作部１６が設けられている。なお、この操作部１６は他方の装着アーム３に設けることも可能であるとともに、本体ケース２ｂの一部領域に設けることも可能であリ、或いは装着アーム３、４の少なくとも一方及び本体ケース２ｂに分散して設けることも可能である。両装着アーム３、４の自由端部３ａ、４ａはいずれも通信機器１を机上面等の設置面Ｂ（図４参照）に置いた場合に、この設置面Ｂに接するようになっている。
【００２３】
一方の装着アーム３には第１の音響機器例えばマイクロホン５が組込まれている。詳しくは、図４に示すように設置面Ｂに置かれた通信機器１において、好ましくは設置面Ｂに斜めに対向する部位、より好ましくは同条件を満たす自由端部３ａにマイクロホン５が取付けられている。マイクロホン５が有する集音口５ａ（図２参照）は装着アーム３の湾曲された裏面３ｂに開口している。これにより、マイクロホン５の集音口５ａは、設置面Ｂで塞がれることがないようにこの設置面Ｂから離間し、かつ、設置面Ｂに斜めに対向して設けられている。
【００２４】
なお、集音口５ａが裏面３ｂに開口するとは、集音の方向性がないようにするために、裏面３ｂに球面の一部をなすように僅かに盛り上がる部分を設けて、この部分に複数の集音口５ａを複数の開けた形態も含んでいる。前記盛り上がり部分は、通信機器１を設置面に置いた際に、設置面に塞がれるように近接しないように設けられるので、実質的に凸部とみなされるものではない。
【００２５】
同様に、他方の装着アーム４には第２の音響機器例えばスピーカ６が組込まれている。詳しくは、図４に示すように設置面Ｂに置かれた通信機器１において、好ましくは設置面Ｂに斜めに対向する部位、より好ましくは同条件を満たす自由端部４ａにスピーカ６が取付けられている。スピーカ６が有する放音口６ａ（図２参照）は装着アーム４の湾曲された裏面４ｂに開口している。これにより、スピーカ６が有する放音口６ａが、設置面Ｂで塞がれることがないようにこの設置面Ｂから離間し、かつ、設置面Ｂに斜めに対向して設けられている。
【００２６】
なお、放音口６ａが裏面４ｂに開口するとは、放音の方向性がないようにするために、裏面４ｂに球面の一部をなすように僅かに盛り上がる部分を設けて、この部分に複数の放音口６ａを複数の開けた形態も含んでいる。前記盛り上がり部分は、通信機器１を設置面に置いた際に、設置面に塞がれるように近接しないように設けられるので、実質的に凸部とみなされるものではない。
【００２７】
両装着アーム３、４にその裏面３ｂ、４ｂを覆って腕Ａとの接触感を良くするための柔軟性カバーを設ける場合には、このカバーが集音口５ａ又は放音口６ａを塞ぐことがないように、これらの音伝導口（集音口５ａ、放音口６ａ）を露出させる逃げ孔等を設けて実施すればよい。
【００２８】
スピーカ６は、機器本体２が受信した電気信号を会話用の音声に変換して放つ機能と、機器本体２が受信した呼出信号を着信音として報知するレシーバ機能を兼ねている。スピーカ６は、通常レシーバ機能を維持し、この機能により報知される着信音に基づいて使用者が操作部１６の所定の操作釦を操作することによって、スピーカ機能に切換えられるようになっている。このようにスピーカ６がレシーバを兼ねている構成では、音声を放つスピーカと、着信音を放つレシーバとを別々に設ける場合に比較して、部品数および設置スペースを減らすことが可能である点で好ましい。
【００２９】
前記構成を備える通信機器１は、その一対の装着アーム３、４を装着位置に配置することにより、図３に示すように腕Ａに装着した状態で携帯される通信機器１として使用できる。
【００３０】
この携帯状態の通信機器１を腕Ａから取外して情報の送受信の一例である通話をする場合には、図１及び図２等に示すように装着アーム３、４を夫々解放位置に移動させた状態で、スピーカ６を耳元に配置すると共に、マイクロホン５を口元近傍に配置して行うことができる。
【００３１】
この他の通話形態として、通信機器１はスピーカホンとして使用されることがある。この使用において通信機器１は、装着アーム３、４を夫々解放位置に移動させて機器本体２の両側に並べた状態として、第１、第２のヒンジ１２、１３及び両装着アーム３、４の自由端部３ａ、４ｂの４個所を設置面Ｂ上に接触して机上面等の設置面Ｂに置かれる。この設置状態では、機器本体２及び両装着アーム３、４が夫々両端支持される。このため、設置面Ｂ上の通信機器１は安定した設置姿勢を維持できることに伴い、上方から操作部１６の押釦を安定して操作することができるとともに、上方からの荷重にも耐えることが可能である。
【００３２】
以上の設置により、機器本体２のディスプレイ１１が視認可能に上を向くので、このディスプレイ１１を視認しつつスピーカホン機能で通話をすることができる。この通話では、マイクロホン５がその集音口５ａに集音される音を拾って電気信号に変換し、この信号が機器本体２から無線送信される。これとともに、機器本体２は無線で受信した電気信号をスピーカ６で音声に変換するので、その音声が放音口６ａから放たれる。これにより、通信機器１をスピーカホンとして使用できる。
【００３３】
この場合、マイクロホン５が取付けられた一方の装着アーム３と、スピーカ６が取付けられた他方の装着アーム４とは、いずれも硬質であって、上面に凸となるように湾曲されていて、既述のように自由端部３ａ、４ａを設置面Ｂに接触させている。これにより、スピーカ６の放音口６ａ及びマイクロホン５の集音口５ａは、いずれも設置面Ｂから離間して設置面Ｂで塞がれることがない。これとともに、両装着アーム３、４と設置面Ｂとの間には空間Ｓ（図４参照）が確保されて、設置面Ｂを、マイクロホン５及びスピーカ６に対する音響反射面として利用できる。
【００３４】
このため、集音口５ａへの集音が設置面Ｂに邪魔されることが抑制されるとともに、図４中矢印Ｃで概念的に示すように設置面Ｂで反射されて集音口５ａに向けて集束する周囲の音を集音口５ａで拾うことが可能である。同様に、放音口６ａから出ようとする音が設置面Ｂに邪魔されることが抑制されるとともに、図４中矢印Ｄで概念的に示すように放音口６ａから出た音を設置面Ｂで反射させて周囲に拡大させて伝播させることが可能である。
【００３５】
しかも、両装着アーム３、４の裏面に開口している集音口５ａ及び放音口６ａがいずれも設置面Ｂに斜めに対向しているので、設置面Ｂに塞がれる可能性はより低い。それだけではなく、集音口５ａ及び放音口６ａが設置面Ｂに対して略垂直に向いている場合に比較して、より広い角度での音の伝播ないしは音の集束が可能である。
【００３６】
したがって、マイクロホン５を通信機器１の表側に配置すると共に、スピーカ６を通信機器１の裏側に配置する構成を採ることなく、通信機器１を設置面Ｂに直接置いてスピーカホンとして使用する場合の音質を向上することが可能である。
【００３７】
しかも、スピーカホンとして使用する場合、マイクロホン５及びスピーカ６はいずれも両装着アーム３、４の自由端部３ａ、４ａに取付けられているので、マイクロホン５とスピーカ６との距離が大きいとともに、これらの間には機器本体が配置されている。このため、放音口６ａから出た音が集音口５ａで拾われることを抑制し易い。
【００３８】
図５は本発明の第２実施形態を示している。この実施形態は基本的には第１実施形態と同じであるので、第１実施形態と同じ構成については同一符号を付してその説明を省略し、以下、第１実施形態とは異なる構成について説明する。第２実施形態では、装着アーム３、４の解放位置が一定ではなく、この解放位置で装着アーム３、４は所定角度を調節可能に設けられている。
【００３９】
詳しくは、一方の装着アーム３で代表して説明すれば、図５中符号Ｅは下限解放位置を示しており、符号Ｆは上限解放位置を示しており、これら両位置にわたる角度θの範囲を装着アーム３が回動できる。装着アーム３が上限解放位Ｆ置に配置されたとき、それ以上の上向きの回動は器具本体２のストッパ面２ｂで防止される。装着アーム３は、解放位置での前記回動による調節位置に仮保持、つまり、静止されるようになっている。こうした装着アーム３の静止を実現するために、第１ヒンジ１２には装着アーム３が解放位置に位置されている状態でのみ機能する摩擦板（図示しない）が組み込まれている。したがって、第２実施形態では、装着アーム３の解放位置での設置面Ｂに対する対向姿勢を調節でき、かつ、この調節状態を仮保持できるように、第１ヒンジ１２が装着アーム３を所定角度回動可能に支持している。なお、第２装着アーム４と第２ヒンジ１３との関係も同様である。
【００４０】
こうした構成を備える第２実施形態では、装着型電子機器１を机上面等の設置面Ｂに置いた状態で、第１、第２の装着アーム３、４をその解放位置において任意に回動することによって、設置面Ｂと対向した姿勢を変更できる。言い換えれば、第１、第２の装着アーム３、４に取付けられているマイクロホン５の集音口５ａ及びスピーカ６の放音口６ａの設置面Ｂに対する向きを変更できる。これにより、通信機器１をスピーカホンとして使用する場合に、マイクロホン５及びスピーカ６の配置を、設置面Ｂの材料や表面状態等によって異なる設置面の音響反射特性に適合させて、最適な音響効果を得ることが可能である。
【００４１】
なお、以上説明した以外の構成は、図５に示されていない構成を含めて第１実施形態と同じであるため、この第２実施形態においても、本発明の課題を解決できる。
【００４２】
図６は本発明の第３実施形態を示している。この実施形態は基本的には第１実施形態と同じであるので、第１実施形態と同じ構成については同一符号を付してその説明を省略し、以下、第１実施形態とは異なる構成について説明する。
【００４３】
図６中符号２１は充電器を示している。この充電器２１の上面は機器本体２の裏面を安定して支持できる形状に作られていて、この上面に機器本体２を載置した状態で、機器本体２内の図示しない二次電池への充電が可能となっている。このため、充電器２１上面に機器本体２を載置した状態では、解放位置にある装着アーム３、４を設置面Ｂに対してより大きく離すことができる。これにより、設置面Ｂを音響反射面として確実に利用して、通信機器１をスピーカホンとして使用することが可能である。
【００４４】
なお、以上説明した以外の構成は、図６に示されていない構成を含めて第１実施形態と同じであるため、この第２実施形態においても、本発明の課題を解決できる。又、この実施形態において、第２実施形態のように解放位置にある装着アーム３、４の姿勢を調節可能とする構成を適用してもよい。
【００４５】
又、本発明は前記各実施形態には制約されない。例えば第１、第２の音響要素であるマイクロホン５及びスピーカ６を、夫々斜めの姿勢にして両装着アーム３、４のヒンジ１２、１３寄りの根元側端部に取付けて実施することも可能である。この場合、マイクロホン５及びスピーカ６は互いに逆向きに傾けられて、マイクロホン５はそれが取付けられた装着アームの自由端部側から入る音声を集音し、スピーカ６はそれが取付けられた装着アームの自由端部側に向けて音声を放つ。このため、スピーカ６から出た音声をマイクロホン５が拾うことを抑制できる。しかも、装着型電子機器１を腕等に装着した場合、機器本体２及び両装着アーム３、４とがなす角部と腕との間に隙間が形成され、この隙間に寄せてマイクロホン５及びスピーカ６が配置される。このため、これらマイクロホン５及びスピーカ６と腕とを非接触又は軽微に接触させることが可能であり、マイクロホン５及びスピーカ６の耐久性を向上することが可能となる。更に、本発明の携帯型電子機器１をスピーカホンとして使用する場合、この機器１と設置面Ｂとの接触形態は、機器本体２、第１及び第２のヒンジ１２、１３、及び両装着アーム３、４の自由端部３ａ、４ａの内の少なくとも２点、つまり、両自由端部３ａ、４ａのみ、又は両自由端部３ａ、４ａと機器本体２のみ、或いは両ヒンジ１２、１３のみ、若しくは前記各実施形態に記載した設置面への接触形態であればよい。
【００４６】
【発明の効果】
本発明によれば、設置面上に置いた状態で使用する際に、設置面を音響反射面として利用可能な構成であるので、第１、第２の音響要素の音質を向上することが可能な装着型電子機器を提供できる。
【図面の簡単な説明】
【図１】本発明の第１実施形態に係る腕装着型電子機器を示す平面図。
【図２】図１の腕装着型電子機器を示す裏面図。
【図３】図１の腕装着型電子機器を腕に装着した状態を示す側面図。
【図４】図１の腕装着型電子機器を机上面に設置した状態を示す側面図。
【図５】本発明の第２実施形態に係る腕装着型電子機器を机上面に設置した状態を示す側面図。
【図６】本発明の第３実施形態に係る腕装着型電子機器を机上面に充電器を用いて設置した状態を示す側面図。
【符号の説明】
１…腕装着型通信機器（装着型電子機器）
２…機器本体
３、４…装着アーム
３ａ、４ａ…装着アームの自由端部
５…マイクロホン（第１音響要素）
５ａ…集音口
６…スピーカ（第２音響要素）
６ａ…放音口
１１…ディスプレイ
１２、１３…ヒンジ
Ａ…腕
Ｂ…設置面（音響反射面）
Ｓ…空間
【図１】
2004289522.tif 000003
【図２】
2004289522.tif 000004
【図３】
2004289522.tif 000005
【図４】
2004289522.tif 000006
【図５】
2004289522.tif 000007
【図６】
2004289522.tif 000008